(57)【要約】【課題】手を汚すことなく、家庭用レンジフードのフィルターを簡単に交換することができるレンジフードフィルター固定用器具を提供する。【解決手段】レンジフード４０に着脱自在に取り付けられ、かつ、レンジフードの吸引口４１の前面にフィルターＦを保持するためのレンジフードフィルター固定用器具１０である。有底無蓋の箱体２０の底部２１に通気口２２を設けると共に、該通気口２２の両側に、上記箱体２０の内部に位置して、上記フィルターＦの縁を支持するガイドレール２３を設け、さらに、該ガイドレール２３の延長線上に当たる箱体の側面２５ａにフィルター出入口２６を設け、さらに、上記箱体２０に取り付けたフランジ２７に複数の固着具２９を設ける。【選択図】図２
2008075956.tif 000002
【特許請求の範囲】
【請求項１】
レンジフードに着脱自在に取り付けられ、かつ、レンジフードの吸引口の前面にフィルターを保持するためのレンジフードフィルター固定用器具において、有底無蓋の箱体の底部に通気口を設けると共に、該通気口の両側に、上記箱体の内部に位置して、上記フィルターの縁を支持するガイドレールを設け、さらに、該ガイドレールの延長線上に当たる箱体の側面にフィルター出入口を設け、さらに、上記箱体に取り付けたフランジに複数の固着具を設けたことを特徴とするレンジフードフィルター固定用器具。
【請求項２】
上記箱体の底部に上記通気口を複数列設けると共に、該通気口の両側に、上記箱体の内部に位置して、上記フィルターの縁を支持するガイドレールを設けた請求項１記載のレンジフードフィルター固定用器具。
【請求項３】
上記通気口の両側に位置するガイドレールの自由端どうしを細長い支持体で連結する請求項１または２記載のレンジフードフィルター固定用器具。
【発明の詳細な説明】
【技術分野】
【０００１】
本発明は、レンジフードに着脱自在に取り付けられ、かつ、レンジフードの吸引口の前面にフィルターを保持するためのレンジフードフィルター固定用器具に関する。
【背景技術】
【０００２】
一般家庭では、換気扇の油汚れを防止するために、キッチンレンジの換気用フードの前面に不織布などのフィルターを取り付けている。しかし、従来は、市販されているレンジフード用の大判のフィルターを所定の大きさに裁断した後、切り取ったフィルターをレンジフードの金属枠に複数個の磁石を使って固定する必要があるので、位置決めや、弛まないようにフィルターを貼ることが難しく、時間が掛かった。また、油煙で汚れたフィルターを取り替える時には、レンジフードの金属枠に触れざるを得ないので、手が油煙で汚れるということもあった。
【発明の開示】
【発明が解決しようとする課題】
【０００３】
本発明は、手を汚すことなく、家庭用レンジフードのフィルターを簡単に交換することができるレンジフードフィルター固定用器具を提供するものである。
【課題を解決するための手段】
【０００４】
請求項１に記載の発明に係るレンジフードフィルター固定用器具は、レンジフードに着脱自在に取り付けられ、かつ、レンジフードの吸引口の前面にフィルターを保持するためのレンジフードフィルター固定用器具において、有底無蓋の箱体の底部に通気口を設けると共に、該通気口の両側に、上記箱体の内部に位置して、上記フィルターの縁を支持するガイドレールを設け、さらに、該ガイドレールの延長線上に当たる箱体の側面にフィルター出入口を設け、さらに、上記箱体に取り付けたフランジに複数の固着具を設けたことを特徴とする。
【０００５】
請求項２に記載の発明に係るレンジフードフィルター固定用器具は、請求項１記載のレンジフードフィルター固定用器具において、上記箱体の底部に上記通気口を複数列設けると共に、該通気口の両側に、上記箱体の内部に位置して、上記フィルターの縁を支持するガイドレールを設けたことを特徴とする。
【０００６】
請求項３に記載の発明に係るレンジフードフィルター固定用器具は、請求項１または２記載のレンジフードフィルター固定用器具において、上記通気口の両側に位置するガイドレールの自由端どうしを細長い支持体で連結することを特徴とする。
【発明の効果】
【０００７】
請求項１に記載の発明に係るレンジフードフィルター固定用器具は、箱体の底部にある通気口の両側にガイドレールを設けているので、箱体の側面にあるフィルター出入口から箱体内のガイドレールに対して短冊状のフィルターを出し入れする簡単な操作で、手を汚すこともなく、フィルターを簡単に交換することができるようになった。
【０００８】
また、請求項２に記載の発明に係るレンジフードフィルター固定用器具は、請求項１記載のレンジフードフィルター固定用器具において、上記箱体の底部に上記通気口を複数列設けると共に、該通気口の両側に、上記箱体の内部に位置して、上記フィルターの縁を支持するガイドレールを設けたので、より幅の狭い短冊形のフィルターを使用することができる。このため、より簡単にフィルターを交換することができるようになった。
【０００９】
請求項３に記載の発明に係るレンジフードフィルター固定用器具は、請求項１または２記載のレンジフードフィルター固定用器具において、上記通気口の両側に位置するガイドレールの自由端どうしを細長い支持体で連結するので、この支持体によってフィルターの背面を押さえることができ、フィルターがレンジフード内に引き込まれるのを防止することができるようになった。
【発明を実施するための最良の形態】
【００１０】
以下、本発明の実施の形態を図面を用いて説明する。
図１において、符号１０は、金属製のレンジフードフィルター固定用器具（以下、フィルター固定用器具という。）であり、その主要部は、プレス成型により一体的に成型されている。このフィルター固定用器具１０は、図３に示すように、有底無蓋の箱体２０の底部２１に複数の通気口２２，２２を設けている。なお、通気口２２は、一つでも良い。その上、このフィルター固定用器具１０は、図２に示すように、通気口２２の両側に、それぞれ、ガイドレール２３を設け、この一対のガイドレール２３，２３によってフィルターＦの両縁を支持するようになっている。これらのガイドレール２３，２３は、図２に示すように、箱体２０の底部２１の内側（背面側）に設けられ、その先端部２４は、フィルターＦの縁を支持するためにＬ字形になっている。
【００１１】
また、このフィルター固定用器具１０は、図３に示すように、ガイドレール２３，２３の延長線（図示せず）上に当たる箱体２０の側面２５ａにスリット状、または長方形状のフィルター出入口２６を設け、このフィルター出入口２６からフィルターＦを出し入れするようになっている。さらに、箱体２０の周囲に設けたフランジ２７の四隅に容器状の固着具取付部２８を設けている。この固着具取付部２８は、図２に示すように、レンジフード４０に面する側が開口し、その中に永久磁石２９が取り付けられている。この永久磁石２９は、フランジ２７の前面より、若干、突出し、金属製のレンジフード４０に固着するようになっている。
【００１２】
なお、無くてもよいが、図２に示すように、ガイドレール２３，２３の自由端側に細長い板状の支持体３０を架橋させることにより、フィルターＦの脱落を防止することができる。この支持体３０は、例えば、点溶接によりガイドレール２３，２３の自由端に後付けする。符号３１は、点溶接部を示している。また、箱体２０の底部２１は、図１に示すように、リブ３２によって補強されている。また、フィルターＦは、二点鎖線で示すように長方形であり、所望により、その一端には、円弧状の摘みｆが設けられている。また、フィルターＦの両端が箱体２０よりはみ出すようにすることにより、箱体の側面２５ａにあるフィルター出入口２６からの油煙の流入を防止することができる。
【００１３】
このフィルター固定用器具１０は、図２および図３に示すように、通気口２２がレンジフード４０の吸引口４１に対向するようにレンジフード４０に固着されており、フィルターＦが油煙によって汚れた時は、図４に示すように、フィルターＦの摘み部ｆを素手、あるいは、不要になった割り箸などを使って矢印Ａの方向に引き出すことによって簡単に取り出すことができる。また、このフィルター固定用器具１０にフィルターＦを装着する時は、箱体２０の側面２５ａに設けたスリット状又は長方形状のフィルター出入口２６からフィルターＦを矢印Ｂ方向に挿入することにより、一対のガイドレール２３，２３間に簡単に装着することができる。
【００１４】
また、フィルター固定用器具としては、図５に示すように、箱体２０の底部２１に通気口２２を複数列設けると共に、各通気口２２の両側に、箱体２０の内部に位置してガイドレール２３，２３を設けることもできる。この場合には、より幅の狭いフィルターＦを使用することが可能となり、フィルターの交換がより簡単になる。
【００１５】
上記のフィルター固定用器具は、金属シートをプレス成型して形成したものであるが、剛性、難燃性、成型性、印刷適性を有するプラスチックシートをプレス成型したものでも支障がない。プラスチックシートとしては、難燃化ボリカーボネート樹脂、難燃化ＡＢＳ樹脂、難燃化ＰＥＴ樹脂、難燃化ＰＰ樹脂、などが好ましい。また、金属シートとしては、アルミニウム合金、ＳＵＳ（ステンレススチール）などが好ましい。また、成型方法としては、プレス成型のほか、真空成型、絞り成型、射出成型などが好ましい。
他方、フィルターとしては、不織布、プラスチックネット、金属ネットなどが好ましい。また、不織布の製法としては、ニードルパンチ法、ケミカルボンド法、サーマルボンド法、スパンボンド法、ウォータージェット法、エアレイド法などが挙げられ、特にサーマルボンド法、スパンボンド法、ウォータージェット法、エアレイド法、ケミカルボンド法、あるいは、これらの組み合わせが好ましい。
【００１６】
このうち、サーマルボンド不織布と呼ばれるものは、熱風で繊維と繊維を熱融着して製造するものであり、繊維は、主として芯・鞘型、あるいはサイドバイサイド型の熱接着性複合繊維が好適である。高融点繊維、例えばＰＥＴなどの芳香族ポリエステル繊維、アクリル繊維、ビニロン繊維などを併用することも出来る。難燃化の手段としては、繊維を構成するポリマー成分にあらかじめ難燃剤を共重合する方法、単に練り込む方法、繊維形成後、あるいは不織布形成後に難燃剤を付与・付着する方法などがある。このうち、練り込み法が特に好適である。熱処理温度は、該熱接着性複合繊維の鞘成分の融点以上の温度が必要である。具体的には１２０〜１８０℃が好ましく、さらに好ましくは１４０〜１６０℃である。熱風によって熱処理することにより、繊維と繊維を熱融着して不織布とするのであれば、製法はどのような方法であってもよい。例えば、難燃複合繊維、ならびにビニロン繊維、ポリエステル繊維、およびアクリル繊維から選ばれる少なくとも１種からなるウェブを熱風（例えば、熱風乾燥炉）などで熱処理して得ることができる。また、難燃複合繊維のみからなるウェブと、ビニロン繊維、ポリエステル繊維、およびアクリル繊維から選ばれる少なくとも１種からなるウェブとを別に製造し、両者のウェブを重ねて熱風（例えば、熱風乾燥炉）などで熱処理して得ることもできる。
【００１７】
上記難燃複合繊維に練り込まれる非ハロゲン系の難燃剤としては、リン酸アンモニウム、トリクレジルホスフェート（ＴＣＰ）、トリエチルホスフェート（ＴＥＰ）、クレジルジフェニルホスフェート（ＣＤＰ）、キシレニルジフェニルホスフェート（ＸＤＰ）、酸性リン酸エステル、含窒素リン化合物、ＨＡＬＳ、ポリｎ−プロポキシホスファゼン、ポリホスホネート、フォスファフェナンスレン環含有ポリエステル、ホスフォラン、ホスフィンオキシド融合体、オキサイホスホランなどがあるが、非ハロゲン系で実質的に難燃効果を発揮するものであれば、これに限定されるものではない。
【００１８】
これらの難燃剤は、複合繊維１００重量部中に、好ましくは１〜５０重量部、さらに好ましくは２〜４０重量部練り込まれる。この練り込み量が１重量部未満では、難燃性が不充分であり、一方、５０重量部を超えると、耐熱性ダウンや、強度ダウンするばかりか、難燃性能が頭打ちになるため、添加した難燃剤が無駄になり、好ましくない。
【００１９】
難燃剤を練り込む複合繊維としては、芯・鞘型の複合型繊維が好ましい。芯成分としては、ポリエチレンテレフタレート、ポリブチレンテレフタレートのような線状芳香族ポリエステルや、ポリプロピレンのようなポリオレフィンが好ましく、鞘成分よりも高融点である必要がある。鞘成分としては、ポリエチレンイソフタレートなどが共重合された低融点の線状芳香族ポリエステルや、ポリエチレンなどのポリオレフィンが挙げられるが、芯成分の融点未満の加熱によって繊維交絡点で熱融合するものである必要がある。このような組み合わせの例で好ましいものとしては、ＰＰ／共重合ＰＰ、ＰＰ／ＰＥ、ＰＥＴ／ＰＥなどが挙げられる。
【００２０】
使用する難燃複合繊維の繊度は、３〜３０デシテックスであり、好ましくは４〜２０デシテックス、さらには５〜１５デシテックスである。繊度が３デシテックス未満の場合、不織布密度が上昇して通気抵抗が高くなり、換気用フィルターとしては不適となり、一方、繊度が３０デシテックスを超えると、空隙が大きくなることにより保油量が減少するため、好ましくない。
【００２１】
また、エアレイド法によるフィルターは、多孔質ネットコンベヤ上に位置している単台または多台の吹き出し部から熱接着性繊維単独、あるいは熱接着性繊維と必要に応じて非セルロース系パルプとの混合物を噴き出す一方、ネットコンベヤの下面に配置した空気サクション部で吸引しながらネットコンベヤ上にウェブ層を形成し、これを熱風処理して繊維どうしを融着させることにより製造することができる。
エアレイド法不織布に用いられる熱接着性繊維としては、繊維長が３〜１５ｍｍ、好ましくは５〜１０ｍｍ、単糸繊度が３〜３０デシテックス、好ましくは４〜２０デシテックスの上記と同様の（難燃性）複合繊維が用いられる。
【００２２】
以上のフイルターを構成する不織布の総目付けは、１０〜６０ｇ／ｍ２であり、好ましくは１５〜５０ｇ／ｍ２、さらに好ましくは２０〜４０ｇ／ｍ２である。目付けが１０ｇ／ｍ２未満の場合、厚さが減少して保油量が不十分となり、一方６０ｇ／ｍ２を超えると、通気抵抗が高くなるため、好ましくない。
また、上記不織布の通気抵抗は、０〜０．００４ｋＰａ・ｓ／ｍであり、好ましくは０〜０．００３５ｋＰａ・ｓ／ｍ、さらに好ましくは０〜０．００３０ｋＰａ・ｓ／ｍである。０．００４ｋＰａ・ｓ／ｍを超える場合、換気量の減少を招くため、好ましくない。
【００２３】
さらに、上記不織布の密度は、０．０１〜０．０４ｇ／ｃｍ３、好ましくは０．０１２〜０．０３５ｇ／ｃｍ３、さらに好ましくは０．０１５〜０．０３ｇ／ｃｍ３である。密度が０．０４ｇ／ｃｍ３を超えると、通気抵抗の上昇、または保油量の低下となるため、好ましくない。一方、密度が０．０１ｇ／ｃｍ３未満の場合、あまりにも嵩高過ぎ、かつ、風合いも柔らかくなって取り扱い性が悪化するので、実用的ではない。
【００２４】
さらに、上記不織布の保油量は、１０〜３０ｇ／１００ｃｍ２である。保油量とは、室温２５℃でサラダ油に浸けた１０ｃｍ×１０ｃｍ  の試料を水平な２メッシュ金網上にのせて１時間油切りした後に保持している油の量である。保油量が１０ｇ／１００ｃｍ２未満の場合、調理で発生する油煙中の油分をキャッチする能力が不十分である。一方、３０ｇ／１００ｃｍ２を超える場合は、万が一、付着している油分に着火するような不測の事態において、延焼する危険性が増大するので、好ましいとは言えない。好ましい保油量は、８〜２０ｇ／１００ｃｍ２、さらに好ましくは１０〜１８ｇ／１００ｃｍ２である。
【００２５】
さらに、本発明に用いられるフイルターを構成する不織布の厚みは、通常、０．５〜５ｍｍ、好ましくは１〜４ｍｍ程度である。
【図面の簡単な説明】
【００２６】
【図１】本発明に係るレンジフードフィルター固定用器具の平面図である。
【図２】図１のＸ−Ｘ断面図である。
【図３】図１のＹ−Ｙ断面図である。
【図４】本発明に係るレンジフードフィルター固定用器具の使用説明図である。
【図５】本発明に係るレンジフードフィルター固定用器具の他の例を示す断面図である。
【符号の説明】
【００２７】
Ｆ      フィルター
１０    レンジフードフィルター固定用器具
２０    箱体
２１    底部
２２    通気口
２３    ガイドレール
２５ａ  箱体の側面
２６    フィルター出入口
２７    フランジ
２９    固着具
４０    レンジフード
４１    レンジフードの吸引口
【図１】
2008075956.tif 000003
【図２】
2008075956.tif 000004
【図３】
2008075956.tif 000005
【図４】
2008075956.tif 000006
【図５】
2008075956.tif 000007